(57)【要約】一種のサービス、特にアクセス承認権をサービス端末装置又はアクセス端末装置（６）において購入するために、近距離無線データ伝送を行うための多数の予約端末装置（２）が設置される。当該サービスの予約を行うために、モバイルデータ端末装置（４）と該予約端末装置（２）の一つとの間に一つのリンク（３）を構築し、かくしてサービスが、データ端末装置（４）によって予約される。予約済みサービスは、予約端末装置（２）からデータ端末装置（４）へのデータ転送（１２）によってか又は該データ端末装置（４）を識別同定するためのデータを該データ端末装置（４）からサービス端末装置（６）若しくはデータサーバー（１５）にある予約端末装置（２）に転送（１４）した後、サービス、従って例えばアクセスを購入するために記憶保存される。
2004538560.tif 000002
【特許請求の範囲】
【請求項１】
近距離での無線データ伝送を行うための多数の予約端末装置（２）に、データ端末装置（４）が配設・接続されること、サービスの予約を行うためにモバイルデータ端末装置（４）と該予約端末装置（２）の一つとの間に一つのリンク（３）が構築されること、及びかくして当該サービスが、該モバイルデータ端末装置（４）によって予約されることを特徴とする、一種のサービス、特にアクセス承認権を読取り装置（７）を備えたサービス端末装置（６）においてモバイルデータ端末装置（４）によって購入するための方法であって、該予約済みサービスが、コード化された情報としてデータ転送（１２）によって該モバイルデータ端末装置（４）に保存され、次いで該予約端末（２）から該サービス端末（６）に又は該サービス端末（６）と接続された一台のデータサーバー（１５）に転送されて記憶保存されるか、又は該モバイルデータ端末装置（４）を識別同定するためのデータの転送（１４）を行った後、該モバイルデータ端末装置（４）から予約端末（２）に、該データ端末装置（４）の識別・同定データが、当該予約済みサービスと共にサービス端末（６）若しくは該サービス端末に接続したデータサーバー（１５）に転送されて記憶保存され、かくして該モバイルデータ端末装置（４）に保存されたコード化情報若しくは該該モバイルデータ端末装置（４）の識別同定データが、該サービス端末装置（６）の読取り装置（７）によって読み取られた後に、当該予約済みサービスが、提供されてなる、前記方法。
【請求項２】
該モバイルデータ端末装置（４）によって読み取りを行う前に、該サービスが、選択されることを特徴とする、請求項１において記載された方法。
【請求項３】
該モバイルデータ端末装置（４）が、予約端末装置（２）によるデータ転送（１２，１４）を行うための場合と同じ転送媒体を介してサービスの購入を行うために該サービス端末装置（６）と通信することを特徴とする、請求項１又は２において記載された方法。
【請求項４】
転送媒体として無線又はＩＲリンクを使用することを特徴とする、前記請求項のうちの何れか一項において記載された装置。
【請求項５】
Bluetoorh-Standardに従った無線リンクを使用することを特徴とする、請求項４において記載された方法。
【請求項６】
該モバイルデータ端末装置（４）が、予約端末装置（２）とのリンクの構築及び制御を行うためキーボード（９）又はランゲージ制御を有することを特徴とする、請求項１及び６において記載された方法。
【請求項７】
該モバイルデータ端末装置が、該予約端末装置（２）を介して予約可能なサービスを表示するためのディスプレイ（１１）を有することを特徴とする、請求項２及び６において記載された方法。
【請求項８】
Bluetooth−リンクが、設けられること及び該予約可能なサービスが、ＷＡＰを介して表示されることを特徴とする、請求項５及び７において記載された方法。
【発明の詳細な説明】
【技術分野】
【０００１】
本発明は、一種のサービス、特にアクセス承認権をサービス端末装置、特にアクセス端末装置においてモバイルデータ端末装置によって購入するための方法に係わる。
【背景技術】
【０００２】
アクセス承認のためまた別のサービスを必要とするために、当該サービスを費消するに先だって予約するか又は取得することが通常は必要である。このことは普通は、切符類、従って入場券、通行券、コイン又は窓口又は窓口自動販売機で相当する物品を取得することによって行われる。また、かかるサービスの購入は、電話又はインターネットでの前売りによっても可能である。
【０００３】
かかるサービスの購入を行うためには従って、切符を物理的な形状で作製して、次いで交付するか又は前売りの場合郵送により送付する必要がある。切符類の製作及び交付は、窓口の機械や窓口係りのみならず例えば切符材料によっても経費が高くなることと関連している。窓口又は窓口自動販売機は、一人の顧客だけしか利用出来ないため、待ち行列が大抵の場合は不可避である。またかかる切符も、紛失したり、又は当該サービスを購入するべきその瞬間に入手不可能となり得るのである。
【特許文献１】
米国特許第６１７５９２２号明細書
【発明の開示】
【発明が解決しようとする課題】
【０００４】
本発明の課題は、サービスの購入を実質的に簡便化・容易にすることである。
【課題を解決するための手段】
【０００５】
このことは、本発明に従えば特許請求の範囲の請求項１によって特徴づけられた方法によって実現される。従属請求項においては、本発明に従った方法の有利な実施態様が、記述されている。
【発明の効果】
【０００６】
本発明に従った方法によれば、個別の物理的形状の切符を購入しなければならないという必要性が、排除され、無くなる。予約端末の装置は、コストの低減と密接に関連しているため、多数の予約装置を設置することが可能であり、又は一台の予約端末は、多数の利用者によって同時に利用することが出来るので、待ち行列をつくるという問題が、解消される。
【０００７】
個別の切符の代わりに、サービス購入者は例えば、携帯電話のような既存の利用可能な電子装置をデータキャリヤとして使用することが出来るのであって、かかる装置は、インターフェースを介して予約端末装置と非接触方式のデータ交換を行うことが可能である。従って従来の窓口が、かかる予約端末装置によって代替・置換されることになり、このような端末が、インターフェースを介してサービス購入者のデータキャリヤとの無線方式によるデータ転送に使用することが出来る。
【０００８】
使用する転送媒体如何によって、予約端末装置のサービスエリアは、数センチメーター乃至数メーターに渉り得る。予約端末装置のサービスエリアは、一人又はそれ以上の人数の利用者が予約端末端末と交信出来るような仕様・構成とすることが出来る。かかる予約端末装置は、任意の、オープンにアクセス可能な場所に設置すればよい。窓口、窓口自動販売機及び前売りスタンドは、かかる予約端末装置によって代替・置換される。
【発明を実施するための最良の形態】
【０００９】
かかる転送は、無線によって又はＩＲインターフェースを介して行うことが出来る。データ交換の安定性が高いという点で、無線リンクが普通は好ましい。無線リンクは、特にBluetoothインターフェースを介して行われ、その場合このデータ端末装置、例えば携帯電話は、Bluetooth−チップを装着する。
【００１０】
サービスを予約するために、モバイルデータ端末装置とその都度対象となる予約端末装置との間のリンク構成は、使用する媒体伝送媒体、例えばBluetooth-Standardに従った無線を介したものとなる。
【００１１】
かかるリンク構成は、予約端末装置又はサービス購入者によって始動・開始される。データ端末装置が、例えば携帯電話によって構成されている場合は、当該サービス購入者によって携帯電話のキーボードを用いてある特定のメニュが選択され、データ構成が行われる。またかかるリンク構成は、データ端末装置のマイクロフォンを介した言語管理によって行うことも出来る。次にキーボードによるか又は言語管理によって、所望とするサービスが予約される。
【００１２】
予約端末装置から好ましくは、より多くのサービス提供を呼び出しし、そこからサービス購入者は、所望のサービスを選択すればよい。当該サービスに係わる利用者ガイド及び予約は、例えば“WAP over Bluetooth”又はStandard-Internet-Browserによって行うことが出来る。即ち、サービス購入者は、携帯電話上のＷＡＰを介してサービス提供を表示させることが出来る。
【００１３】
予約済みのサービスは、データ端末装置がコード化された情報を受信出来る仕様となっている場合は、当該サービス購入者のモバイルデータ端末装置に直接保存することが出来る。即ち、当該サービス購入の承認は、この場合モバイルデータ端末装置上のコード化された情報である。
【００１４】
モバイルデータ端末装置上のコード化されたかかる情報は、当該サービスが実行される場所に設置されたサービス端末装置において、従って例えば承認端末装置によって読み取られ、次いでサービスが実行され、従って例えばアクセスが許可される。
【００１５】
当該モバイルデータ端末装置が、コード化された情報を受信できる仕様になっていない場合は、予約済みサービスは、データを予約端末に転送してデータ端末装置の同定・識別を行った後、同定・識別データと共にサービス端末装置、即ち例えばアクセス端末装置に更に転送され、アクセス端末装置において記憶保存される。かかるモバイルデータ端末装置は、上記目的のため例えば通し番号など、一意的な同定を可能とするための一意的な特徴を有するものとする。
【００１６】
かかるサービス端末装置又はアクセス端末装置には、このような目的のためにデータ端末装置と交信するための読取り装置を配設するのである。多数のサービス端末装置又はアクセス端末装置が利用される場合は、ある場所においてデータ端末装置−同定・識別データを記憶保存するデータセンターを予め配設する。読取り装置とモバイルデータ端末装置との間における通信は同様に、Bluetooth-Funk（ブルートウース無線）により行うことが出来る。
【００１７】
予約済みのサービスに係わる支払いを行うには、例えばクレジットカードによる引き落とし、デビット法などの現金のよらない支払い方法が適している。携帯電話を使用する場合は、携帯電話による請求支払いによる支払いも利用可能である。
【００１８】
以下において、本発明を添付した図面に基づき例としてより詳細に説明するが、該図面の唯一の図は、本発明に従った方法に係わる一つの実施態様のブロックダイアグラムである。
【００１９】
図に従えば、一台のセントラルコンピュータ１に多数の予約端末装置２が接続される。何れの予約端末装置２も、一台又はそれ以上のモバイルデータ端末装置４と近距離Ｎでの無線データ交換３を行うことが出来る仕様・構成とされる。かかるデータ端末装置４は、携帯電話によって構成し、また転送媒体は、Bluetooth-Funkによって構成することが出来る。この携帯電話４は、かかる目的のためにBluetooth-Chip ５が装備される。
【００２０】
このような携帯電話４によって、例えば回転木戸８を制御する読取り装置７を備えたアクセス端末６を介した入場権など、一種のサービスを引き出すことが出来る。
【００２１】
かかるサービスを予約する目的のために、携帯電話４とかかる予約端末装置の一機とのリンク３は、例えばBluetooth-Standard方式に従って構築される。このリンク構成を起動・開始させるためには、当該サービス利用者は、キーボードによって例えば特定のメニュを選択する。このリンク３を介して、提供されるサービスを携帯電話４のディスプレイ１１上に表示させる。次にキーボード９によって、当該サービス利用者は所望とするサービスを選択し、そのサービスの予約を行うのである。かかるサービスの利用ガイド及び予約は、“WAP over Bluetooth”を利用することによって行うことが出来る。
【００２２】
予約済みのサービスは、矢印１２に従ってデータ転送によって直接当該携帯電話４においてコード化することが出来る。
【００２３】
携帯電話４においてコード化された情報は、例えばBluetooth-Standard方式による通信１３によって読取り装置７を用いてアクセス端末装置６において読み取られ、かくして回転木戸８が解除される。
【００２４】
又はその代わりに、モバイル型のデータ端末装置４を同定・識別するためにデータを矢印１４に従って例えばそのチップの通し番号が、予約端末装置２に転送した後、予約済みのサービスを当該データ端末装置４の同定・識別データと共に例えば電話網などデータ遠隔送信によってアクセス端末装置６に送信され、このアクセス端末装置に記憶保存することが出来る。またかかるデータをデータサーバー１５に記憶することも出来る。サービス利用者が、携帯電話４によって読取り装置７の伝送可能地域内に到着した場合、記憶保存した同定・識別データと携帯電話４に保存された同定・識別データを比較した結果が肯定的であった場合は、回転木戸８の解除が行われるのである。
【００２５】
近距離なる用語は、０．１と５０メートル、特に１乃至２０メートルを意味するものと解される。
【産業上の利用可能性】
【００２６】
本発明に従ったサービス購入方法によれば、近距離無線データ伝送を行う多数の予約端末装置の一台と携帯電話などのモバイルデータ端末装置との間に構築された一つのリンクを介して、データ端末装置によってアクセスなどのサービスが予約され、次いで予約済みサービスは、予約端末装置（２）からデータ端末装置（４）へのデータ転送（１２）によるか又は該データ端末装置（４）を識別同定するためのデータを該データ端末装置（４）からサービス端末装置（６）若しくはデータサーバー（１５）にある予約端末装置（２）へ転送（１４）されて記憶保存され、次いでサービス端末装置において提供されるので、予約端末装置を任意の、オープンにアクセス可能な場所に設置することによって、従来使用されてきた窓口、窓口自動販売機及び前売りスタンドが代替・置換され、適時で迅速なサービスの予約・購入が可能となり、待ち行列に並ぶ必要が無くなる。
【図面の簡単な説明】
【００２７】
【図１】本発明に従った方法に係わる一つの実施態様のブロックダイアグラムである。
【符号の説明】
【００２８】
１    セントラルコンピュータ
２    予約端末装置
３    無線データ交換
４    データ端末装置
６    アクセス端末装置
８    回転木戸
９    キーボード
１１  ディスプレイ
１５  データサーバー
【図１】
2004538560.tif 000003
【国際公開パンフレット】
2004538560.tif 000004
2004538560.tif 000005
2004538560.tif 000006
2004538560.tif 000007
2004538560.tif 000008
2004538560.tif 000009
2004538560.tif 000010
2004538560.tif 000011
2004538560.tif 000012
2004538560.tif 000013
2004538560.tif 000014
【国際調査報告】
2004538560.tif 000015
2004538560.tif 000016
2004538560.tif 000017
2004538560.tif 000018
2004538560.tif 000019
2004538560.tif 000020